(57)【要約】【課題】液体を収容するための内袋を有するボール箱を備えたタイプの容器を提供する。【解決手段】ボール箱と、袋の内容物の抽出を可能にするための金具を有する液体不透過性の袋とを備えた容器であって、該金具は、箱の壁の開口を通じて突出し、該壁は、少なくとも二層の厚紙を備え、該金具は、壁の両側に位置し、前記二層の厚紙の非圧縮厚さより小さい距離だけ離れた一対のフランジを有する容器。【選択図】図３
2005104593.tif 000002
【特許請求の範囲】
【請求項１】
圧縮性シート材で構成された箱と、袋の内容物の抽出を可能にする金具を有する液体不透過性の袋とを備えた容器であって、前記金具は、箱の壁の開口を通じて突出し、前記壁は、少なくとも二層の前記圧縮性シート材を備え、前記金具は、壁の両側に位置し、前記二層の圧縮性シート材の非圧縮厚さより小さい距離だけ離れた一対のフランジを有する容器。
【請求項２】
前記金具は、断面、少なくとも前記壁を通るその部分が全体的に長方形、最も好ましくは正方形で、箱の壁の開口は対応する形状を有する請求項１に記載の容器。
【請求項３】
前記金具が通る前記二層は、壁部材と、箱を閉じる蓋に応じたフラップとを備える請求項１又は２に記載の容器。
【請求項４】
前記開口は、前記壁及び前記フラップに切り込まれた溝で形成される請求項３に記載の容器。
【請求項５】
前記壁部材は、全体的に、前記蓋が箱を閉じるためにそのまわりを回転する蝶番に垂直で、前記フラップの孔は弓形である請求項４に記載の容器。
【請求項６】
前記箱は、好ましくは襞付きの厚紙で構成される請求項１から５までのいずれか一項に記載の容器。
【請求項７】
前記袋はエマルジョン・インクを収容する請求項１から６までのいずれか一項に記載の容器。
【発明の詳細な説明】
【技術分野】
【０００１】
本発明は、内容物の分配を可能にする内蔵金具付き容器、より詳細には、液体を収容するための内袋を有するボール箱を備えたタイプの容器に関する。
【背景技術】
【０００２】
いくつかのデジタル複写機には、製造後、輸送時及び保管時に保護する必要があり、こぼれないようにプリンタに充填しなければならないエマルジョン・インクが使用されている。インク袋を含有するダンボール箱を通常備える「箱内袋（ｂａｇ−ｉｎ−ｂｏｘ）」タイプの容器が使用されてきた。当該袋は、デジタル複写機のインク抽出ノズルと接続するための金具を有する。
【発明の開示】
【発明が解決しようとする課題】
【０００３】
金具をインク抽出ノズルに正確かつ簡単に取りつけるためには、ノズルに対する金具の位置及び角度方位が重要で、輸送及び保管後も金具の位置及び方位を保証できる容器が必要とされる。
【課題を解決するための手段】
【０００４】
よって、本発明は、圧縮性シート材で構成された箱と、袋の内容物の抽出を可能にする金具を有する液体不透過性の袋とを備えた容器であって、該金具は、箱の壁の開口を通じて突出し、該壁は、少なくとも二層の前記圧縮性シート材を備え、該金具は、壁の両側に位置し、前記二層の圧縮性シート材の非圧縮厚さより小さい距離だけ離れた一対のフランジを有する容器を提供する。
【０００５】
金具が、箱の壁を形成する二層の圧縮性材料と係合し、これらの二層が金具のフランジによって圧縮されるようにすることによって、輸送及び保管の際にある程度雑に取り扱った後も、金具の位置の安定性を保証することができる。これによって、容器の内容物を使用するデジタル複写機の如き装置の抽出ノズルに金具を容易に、かつ確実に接続することが可能になる。
【０００６】
好ましくは、金具は、断面、少なくとも前記壁を通るその部分が全体的に長方形、最も好ましくは正方形で、箱の壁の開口は対応する形状を有する。これにより、箱内の袋の方位が一定し、金具のキャップの脱着時における金具及び袋の回転が防止される。
【０００７】
本発明の好ましい実施例において、金具が通る二層の材料は、壁部材と、箱を閉じる蓋に応じたフラップとを備える。本実施例において、開口は、壁及びフラップに切り込まれた溝で形成されるのが好ましい。最も好ましくは、壁部材は、全体的に、蓋が箱を閉じるためにそのまわりを回転する蝶番に垂直で、フラップの孔は弓形であるのが好ましい。その構成により、箱の蓋が閉じられ、金具のフランジの間の二層の材料の圧縮によって生成した力が、フラップ、壁部材及び金具を留め合わせると、フラップが金具のまわりに固定され、金具の位置及び方位が正確になるとともに、蓋が閉じた状態を維持する。
【実施例】
【０００８】
添付の概略図を参照しながら本発明の例示的な実施例を説明する。
【０００９】
それぞれの図面において、同様の部品は同様の参照符号で表されている。
【００１０】
本発明の好ましい実施例は、一般に、液体不透過性の袋３０を収容する、図１に示される抜板１０から折り重ねられた直方体伸長ダンボール箱と、箱の壁を通じて突出し、箱の壁に支持されて袋の内容物の抽出を可能にする金具２０とを備える。抜板１０は、好ましくは、適切な重量の一枚のダンボールから切り出される。
【００１１】
箱を構成するには、全体的に長方形の主面１１、１２及び１４が、端壁１６及び１８とともに、蓋１３によって閉じられる開放箱を形成するように、抜板１０を折り重ねる。長辺に沿って蓋１３を主面１２にヒンジ留めをする。
【００１２】
金具２０を固定するには、金具２０が箱の壁を通る場合に金具２０の断面に対応する長方形溝１８ａを端壁１８の自由端に切り込む。袋を箱に配置するときに金具２０の挿入を容易にするために、溝１８ａの角１８ｂに丸みをつける。図２に示されるように、フラップ１７は、全体的に湾曲した先端１７ａと、蓋１３を留めて箱を閉じると、溝が金具２０に係合するように残りの自由端から切り込まれた弓形溝１７ｂとを有する。弓形溝１７ｂの端部１７ｃは、金具が箱の壁を通る場合に金具の断面に対応するように正方形になっている。最終結果は、溝１８ａ及び１７ｂの端部を合わせることによって、金具を４つのすべての辺に厳密に保持し、その位置をしっかりと固定する。
【００１３】
図３は、１つのプラスチック成形品である金具２０の側面を示す図である。金具２０の一端２３は、全体的に円筒形で、容器をそのために使用する液体、例えばエマルジョン・インクを収容することが可能なプラスチック箔で構成できる袋３０にシールされる。他端２４は、例えばデジタル複写機の抽出ノズルに接続するように設計され、閉めるためのねじ切りキャップを受けるように部分的にねじ切りすることができる。
【００１４】
金具２０の中央部２５は、溝１７ｂ及び１８ａの端部の形状に対応するように断面が正方形で、２つのフランジ２１及び２２を有する。フランジ２１及び２２は、それを通して金具が突出する二層の厚紙（端壁１８及びフラップ１７）をその間に挟み、それらの間隔は、金具を設置して箱を閉じると厚紙が圧縮されるように、抜板１０を構成する厚紙の厚さの２倍よりわずかに小さい。生じた力によって、金具が所定の位置に留められ、蓋１３を閉めた状態に維持するようにフラップ１７が保持される。又、金具を端壁１８に垂直に維持する。蓋１３を閉めるときにフラップ１７の挿入を容易にするために、フランジ２１の内縁２１ａに丸みをつける。
【００１５】
本発明の具体的な実施例について述べたが、先述の説明は記述的なもので、規定的なものではなく、本発明は添付の請求項によって規定される。
【図面の簡単な説明】
【００１６】
【図１】本発明の実施例の箱を形成するために折り重ねられた抜板の平面図である。
【図２】図１の実施例の箱を閉じる様子を示す側面図である。
【図３】図１の実施例の箱の壁に係合する金具の側面図である。
【符号の説明】
【００１７】
１０  抜板
１３  蓋
１７  フラップ
１７ｂ  弓形溝
１８ａ  長方形溝
２０  金具
２１、２２  フランジ
３０  袋
【図１】
2005104593.tif 000003
【図２】
2005104593.tif 000004
【図３】
2005104593.tif 000005